(57)【要約】【課題】  印刷物に印刷ムラを生じさせることない仕上がりに優れたグラビア印刷が行なえるグラビア印刷ロール用の回転砥石を提供する。【解決手段】  本考案のグラビア印刷ロール用回転砥石は、中心に回転軸が取付けられる貫通孔１を有し、この貫通孔１と同心の大円２の中心角９０°部分の両端３と、中心角の二等分線４上で大円２の半径よりも短い長さの二等分線上の点５とを通る円弧４つが組み合わされた形状である。【選択図】  図１
0003105512.tif 000002
【実用新案登録請求の範囲】
【請求項１】
中心に回転軸が取付けられる貫通孔を有し、該貫通孔と同心の大円の中心角９０°部分の両端と、中心角の二等分線上で大円の半径よりも短い長さの二等分線上の点とを通る円弧４つが組み合わされた形状であることを特徴とするグラビア印刷ロール用回転砥石。
【請求項２】
中心に回転軸が取付けられる貫通孔を有し、該貫通孔と同心の大円の中心角９０°部分の両端と、中心角の二等分線上で大円の半径よりも５〜１０％短い長さの二等分線上の点とを通る円弧４つが組み合わされた形状であることを特徴とするグラビア印刷ロール用回転砥石。
【請求項３】
中心に回転軸が取付けられる貫通孔を有する直径２００ｍｍの円形回転砥石において、中心角が９０°の四分円部分４個からなり、各四分円の外周側が、四分円の両端の２頂点と、前記中心角の二等分線上で大円の半径より７ｍｍだけ短い二等分線上の点とを通る円弧によって形成されてなるグラビア印刷ロール用回転砥石。  
【考案の詳細な説明】
【技術分野】
【０００１】
本考案は、主としてグラビア印刷などに用いられる印刷ロールの表面研磨に使用される回転砥石に関するものである。
【背景技術】
【０００２】
グラビア印刷ロール用の回転砥石は、グラビア印刷による印刷物が、印刷むらの無い美しい印刷面になるように、円筒状又は円柱状のグラビア印刷ロールの側周面を研磨するために用いられるもので、図４に示すように、回転砥石１１とグラビア印刷ロール１２とが適当な接触面積・圧力にて接触するように回転砥石１１の荷重を適宜調節し、回転砥石１１と前記ロール１２の位置調整を行い、側方に設置されたノズル（図示せず）から研磨部位に水を吹きかけつつ、低速で回転するグラビア印刷ロール１２上を、回転砥石１１自体も回転しながらロールの軸方向に沿って往復移動し、印刷ロール側周面を鏡面研磨するものである。
【０００３】
【特許文献１】特開２０００−２４９３５号公報
【考案の開示】
【考案が解決しようとする課題】
【０００４】
グラビア印刷ロール用の回転砥石は、従来、一般に円形のものが用いられていた。しかし、この円形の回転砥石１１は、この回転砥石１１の外周縁がグラビア印刷ロール１２と接触する軌跡が、ほぼ直線となるので、図５に示すような筋状の研磨送り目１３が発生し、これがグラビア印刷の際、印刷物に印刷ムラを生じさせる原因となるという問題があった。
そこで、本考案の課題は、上記問題点を改善するために、印刷物に印刷ムラを生じさせることのない、仕上がりの優れたグラビア印刷を行うことのできるグラビア印刷ロール用回転砥石を提供することにある。
【課題を解決するための手段】
【０００５】
本考案者は、上記の点に鑑み、試行錯誤を繰り返した結果、前記研磨送り目を生じさせずに、あるいは送り目が生じてもそれを回転砥石による鏡面研磨により消去できるようにするためには、回転砥石は円形という固定観念を排し、回転砥石を多角形にすることが有効であることを見出した。
しかし、回転砥石を多角形にすると、回転ロールの側周面には送り目が残らない反面、多角形の頂角による引っ掻き傷が生じることがある。
【０００６】
そこで、本考案の回転砥石を、中心に回転軸が取付けられる貫通孔を有し、この貫通孔と同心の大円の中心角９０°部分の両端と、中心角の二等分線上で大円の半径よりも短い長さの、好ましくは大円の半径よりも５〜１０％短い長さの、二等分線上の点とを通る円弧４つが組み合わされる形状とした。
【０００７】
この回転砥石の形状は、より具体的には、直径２００ｍｍの円形回転砥石において、中心角が９０°の四分円部分４個からなり、各四分円の外周側が、四分円の両端の２頂点と、前記中心角の二等分線上で大円の半径より７ｍｍだけ短い二等分線上の点とを通る円弧によって形成したものが好ましい。
【０００８】
このような形状からなる本考案の回転砥石は、全体として、正方形の板状体のイメージを残しつつも、周縁に直線部を一切設けない、いわば四角カム型の形象に成形されたものであり、これをグラビア印刷ロールの側周面の鏡面研磨に使用することにより、前記側周面に研磨によってロールの側周面に送り目ができなくなるばかりか、引っ掻き傷が生じることも無い優れたグラビア印刷ロール用回転砥石が得られる。
【考案の効果】
【０００９】
本考案の回転砥石を、円筒状又は円柱状のグラビア印刷ロールの鏡面研磨に用いることにより、グラビア印刷ロールの側周面には、研磨による送り目や引っ掻き傷が生じることが無くなるため、印刷むらの無い美しい印刷面を有するグラビア印刷が行える。
【考案を実施するための最良の形態】
【００１０】
以下、本考案の実施の形態を添付図面に基づいて説明する。
図１は、本考案のグラビア印刷ロール用回転砥石の一例を示す平面図であり、図２は、図１の回転砥石の詳細形状を示す模式的説明図である。また、図３は本考案のグラビア印刷ロール用回転砥石の一例を示す斜視図である。
本考案の回転砥石は、図１〜図３に示すように、中心に回転軸が取付けられる貫通孔１を有し、この貫通孔１と同心の大円２の中心角９０°部分の両端３と、中心角の二等分線４上で大円２の半径よりも短い長さの二等分線上の点５とを通る、中心に対して凸の円弧四つが組み合わされた形状である。
【００１１】
大円２の半径より短い長さは、その短さを大きくする下記の数式１で得られる数値以上、すなわち約３０％以上とすると、新たな円弧は中心に対して凹となってしまって、鋭角の頂点（ａ）が生起するので好ましくない。それ程極端でなくとも、頂点ａが鋭すぎては引っ掻き傷が出来易くなるので、それらを考慮すると短くする長さは、大円の半径の５〜１０％が適当であることが判った。
【００１２】
【数１】
0003105512.tif 000003
【００１３】
この形状を、さらに具体的にいえば、例えば、直径２００ｍｍの円形の回転砥石に適用した場合には、図２に示すように、中心角が９０°の四分円部分４個からなり、各四分円の外周側が、四分円の両端の２頂点（ａ、ａ）と、前記中心角の二等分線４上で大円２の半径より７ｍｍだけ短い二等分線上の点５とを通る円弧によって形成された回転砥石となる。
このような形状の本考案の回転砥石は、四辺が膨出し、全周縁には、直線部が一切ない滑らかな稜線部を有する、いわば四角カム型といえる。
【００１４】
このような、従来にはない正方形をベースにした四角カム型の回転砥石を、円筒状のグラビア印刷ロールの鏡面研磨に用いることにより、この回転砥石の外周縁がグラビア印刷ロールと接触する軌跡が、直線となることがなくなるため、研磨によってグラビア印刷ロールの側周面には、研磨送り目や引っ掻き傷が生じることが無くなる。
【産業上の利用可能性】
【００１５】
本考案のグラビア印刷ロール用回転砥石をグラビア印刷に適用することにより、あらゆる印刷物の質の向上が図れるので、産業上の利用価値は極めて高い。
【図面の簡単な説明】
【００１６】
【図１】本考案のグラビア印刷ロール用回転砥石の一例を示した平面図である。
【図２】図１のグラビア印刷ロール用回転砥石の詳細形状を示す模式的説明図である。
【図３】本考案のグラビア印刷ロール用回転砥石の一例を示す斜視図である。
【図４】グラビア印刷ロールと回転砥石の位置関係を示す模式的平面図である。
【図５】グラビア印刷ロールの側周面を示す模式的平面図である。
【符号の説明】
【００１７】
１  貫通孔
２  大円
３  （大円の中心角９０°部分の）両端
４  （大円の中心角９０°の）二等分線
５  （大円の二等分線上の）点
１１  回転砥石
１２  グラビア印刷ロール
１３  研磨送り目  
ａ  （大円の中心角９０°の円周上の）頂点
【図１】
0003105512.tif 000004
【図２】
0003105512.tif 000005
【図３】
0003105512.tif 000006
【図４】
0003105512.tif 000007
【図５】
0003105512.tif 000008
【手続補正書】
【提出日】平成16年7月22日(2004.7.22)
【手続補正１】
【補正対象書類名】実用新案登録請求の範囲
【補正対象項目名】請求項３
【補正方法】変更
【補正の内容】
【請求項３】
中心に回転軸が取付けられる貫通孔を有し、該貫通孔と同心の、直径が２００ｍｍの大円の中心角９０°部分の両端と、中心角の二等分線上で回転軸心から大円の半径より７ｍｍだけ短い長さの点とを通る円弧４つが組み合わされた形状であることを特徴とするグラビア印刷ロール用回転砥石。
【手続補正２】
【補正対象書類名】明細書
【補正対象項目名】００１３
【補正方法】変更
【補正の内容】
【００１３】
この形状を、さらに具体的にいえば、例えば、大円２が直径２００ｍｍの円形の回転砥石に適用した場合には、図２に示すように、中心角が９０°の四分円部分４個からなり、各四分円の外周側が、四分円の両端の２頂点（ａ、ａ）と、前記中心角の二等分線４上で回転軸心から大円２の半径より７ｍｍだけ短い二等分線上の点５とを通る円弧によって形成された回転砥石となる。
このような形状の本考案の回転砥石は、四辺が膨出し、全周縁には、直線部が一切ない滑らかな稜線部を有する、いわば四角カム型といえる。